【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
通信信号を受信するステップと、前記通信信号の電流に基づいて電力変換器への供給電圧を調整するステップと、調整された供給電圧を用いて前記電力変換器で前記通信信号の電力を変換するステップと、前記通信信号の電圧が適切かどうか判定するステップと、前記通信信号の電圧が適切でない場合、前記電力変換器で前記通信信号の電力を変換することを拒否するステップとを含む、フィールド機器のための電力調整方法。
【請求項２】
前記通信信号が前記フィールド機器に到着したとき、不適切な特性を求めて前記通信信号を監視するステップをさらに含む請求項１に記載の方法。
【請求項３】
不適切な特性が、不適切な電圧レベル、不適切な電流レベルおよび不適切な雑音レベルの少なくとも１つを含む請求項２に記載の方法。
【請求項４】
前記不適切な信号特性を補正するために前記通信信号を修正するステップをさらに含む請求項２に記載の方法。
【請求項５】
前記通信信号の電流に基づいて電力変換器への供給電圧を調整するステップが、信号電流が小さい場合、電圧を増加するステップと、信号電流が大きい場合、電圧を減少するステップとを含む請求項１に記載の方法。
【請求項６】
電圧が前記通信信号の電流に対してほぼ線形に調整される請求項５に記載の方法。
【請求項７】
前記通信信号が通信ループ信号であり、電流が約４ｍＡのとき供給電圧が約９Ｖであり、電流が約２０ｍＡのとき供給電圧が約７Ｖである請求項５に記載の方法。
【請求項８】
前記通信信号に遮断が発生したかどうか判定するステップと、前記通信信号に遮断が発生した場合、前記電力変換器に一時的に電力を供給するステップとをさらに含む請求項１に記載の方法。
【請求項９】
第２の電力変換器で前記通信信号の電力を変換するステップをさらに含む請求項１に記載の方法。
【請求項１０】
前記通信信号が前記フィールド機器向けの電流ベースの制御信号を含む請求項１に記載の方法。
【請求項１１】
通信信号を受信するように動作可能な通信インターフェースと、前記通信インターフェースに結合され、供給された電圧を用いて前記通信信号の電力を変換するように動作可能な電力変換器と、前記電力変換器に結合され、前記通信信号の電流に基づいて前記電力変換器に供給される電圧を調整するように動作可能な可調電圧調整器と、前記通信インターフェースおよび前記電力変換器に結合され、前記通信信号の電圧が適切かどうか判定し、前記通信信号の電圧が適切である場合、前記電力変換器を動作させるように動作可能な電力モニタとを備えるフィールド機器。
【請求項１２】
前記可調電圧調整器が、信号電流が小さい場合、供給電圧を増加し、信号電流が大きい場合、供給電圧を減少して、前記通信信号の電流に基づいて前記電力変換器に供給される電圧を調整するように動作可能である請求項１１に記載のフィールド機器。
【請求項１３】
前記通信インターフェースおよび前記電力変換器に結合された電源をさらに備え、前記通信信号が遮断された場合、前記電源が、前記電力変換器に一時的に電力を供給するように動作可能である請求項１１に記載のフィールド機器。
【請求項１４】
前記通信インターフェースに結合された第２の電力変換器をさらに備え、前記第２の電力変換器が前記通信信号の電力を変換するように動作可能である請求項１１に記載のフィールド機器。
【請求項１５】
前記通信信号が前記フィールド機器向けの電流ベースの制御信号を含む請求項１１に記載のフィールド機器。
【請求項１６】
通信ループ信号を受信するように動作可能な通信インターフェースと、前記通信インターフェースに結合され、前記通信ループ信号の電力を変換するように動作可能な第１の電力変換器と、前記通信インターフェースに結合され、前記通信ループ信号の電力を変換するように動作可能な第２の電力変換器と、前記電力変換器に結合され、前記通信ループ信号の電流に基づいて前記電力変換器に供給される電圧を調整するように動作可能な可調電圧調整器であって、前記調整が、信号電流が小さいとき電圧を増加すること、および信号電流が大きいとき電圧を減少することを含む可調電圧調整器と、前記通信インターフェースおよび前記電力変換器に結合され、前記通信ループ信号の電圧が適切かどうか判定し、前記通信ループ信号の電圧が適切である場合、前記電力変換器を動作させるように動作可能な電力モニタと、前記通信インターフェースおよび少なくとも１つの前記電力変換器に結合され、前記通信信号が遮断されたとき前記電力変換器の少なくとも１つに一時的に電力を供給するように動作可能である電源とを備えるフィールド機器。
【請求項１７】
通信信号を受信するステップと、前記通信信号の電流に基づいて電力変換器への供給電圧を調整するステップと、前記調整された供給電圧を用いて前記電力変換器で前記通信信号の電力を変換するステップと、前記通信信号に遮断が発生したかどうか判定するステップと、前記通信信号に遮断が発生した場合、前記電力変換器に一時的に電力を供給するステップとを含む、フィールド機器のための電力調整方法。
【請求項１８】
前記通信信号が前記フィールド機器に到着したとき、不適切な特性を求めて前記通信信号を監視するステップをさらに含む請求項１７に記載の方法。
【請求項１９】
不適切な特性が、不適切な電圧レベル、不適切な電流レベルおよび不適切な雑音レベルの少なくとも１つを含む請求項１８に記載の方法。
【請求項２０】
前記不適切な信号特性を補正するために前記通信信号を修正するステップをさらに含む請求項１８に記載の方法。
【請求項２１】
前記通信信号の電流に基づいて電力変換器への供給電圧を調整するステップが、信号電流が小さいとき電圧を増加するステップと、信号電流が大きいとき電圧を減少するステップとを含む請求項１７に記載の方法。
【請求項２２】
電圧が前記通信信号の電流に対してほぼ線形に調整される請求項２１に記載の方法。
【請求項２３】
前記通信信号が通信ループ信号であり、電流が約４ｍＡのとき供給電圧が約９Ｖであり、電流が約２０ｍＡのとき供給電圧が約７Ｖである請求項２１に記載の方法。
【請求項２４】
前記通信信号の電圧が適切かどうか判定するステップと、前記通信信号の電圧が適切でない場合、前記電力変換器で前記通信信号の電力を変換することを拒否するステップとを含む請求項１７に記載の方法。
【請求項２５】
第２の電力変換器で前記通信信号の電力を変換するステップをさらに含む請求項１７に記載の方法。
【請求項２６】
前記通信信号が前記フィールド機器向けの電流ベースの制御信号を含む請求項１７に記載の方法。
【請求項２７】
通信信号を受信するように動作可能な通信インターフェースと、前記通信インターフェースに結合され、供給された電圧を用いて前記通信信号の電力を変換するように動作可能な電力変換器と、前記電力変換器に結合され、前記通信信号の電流に基づいて前記電力変換器に供給される電圧を調整するように動作可能な可調電圧調整器と、前記通信インターフェースおよび前記電力変換器に結合され、前記通信信号が遮断されたとき前記電力変換器に一時的に電力を供給するように動作可能である電源とを備えるフィールド機器。
【請求項２８】
前記可調電圧調整器が、信号電流が小さい場合、供給電圧を増加し、信号電流が大きい場合、供給電圧を減少して、前記通信信号の電流に基づいて前記電力変換器に供給される電圧を調整するように動作可能である請求項２７に記載のフィールド機器。
【請求項２９】
前記通信インターフェースおよび前記電力変換器に結合され、前記通信信号の電圧が適切かどうか判定し、前記通信信号の電圧が適切である場合、前記電力変換器を動作させるように動作可能な電力モニタをさらに備える請求項２７に記載のフィールド機器。
【請求項３０】
前記通信インターフェースに結合され、前記通信信号の電力を変換するように動作可能な第２の電力変換器をさらに備える請求項２７に記載のフィールド機器。
【請求項３１】
前記通信信号が前記フィールド機器向けの電流ベースの制御信号を含む請求項２７に記載のフィールド機器。